(57)【特許請求の範囲】
【請求項１】
パーソナルケア製品であって、
細長い把持部分（１０４）を有するハンドル（１０２）であって、ハンドル静置面（１１２）を有し、前記ハンドルが、端部分（１１０）と、前記端部分（１１０）内に位置付けられた第１のドッキング磁石（１１８）と、を有するハンドル（１０２）と、
パーソナルケア製品スタンド（１５０）であって、前記ハンドル（１０２）の前記端部分（１１０）を受容するハンドル受容部分（１９０）と、前記ハンドル受容部分（１９０）内に位置付けられたその他のドッキング磁石（１５８）と、を有するパーソナルケア製品スタンド（１５０）と、を備え、
前記第１のドッキング磁石（１１８）が、１５度〜３５度の夾角（１３６）で前記ハンドル静置面（１１２）と交差する極性軸（１３０）を有し、
ドッキング位置において、前記第１のドッキング磁石（１１８）及び前記その他のドッキング磁石（１５８）は、近接し、相互間の磁力は、前記パーソナルケア製品スタンド（１５０）に対する前記ハンドル（１０２）の傾いた姿勢を維持するパーソナルケア製品。
【請求項２】
前記ハンドル（１０２）が、前記端部分（１１０）内に位置付けられた第２のドッキング磁石（１３２）を備える、請求項１に記載のパーソナルケア製品。
【請求項３】
前記第１のドッキング磁石（１１８）が、前記第２のドッキング磁石（１３２）の極性と反対の極性を有する、請求項２に記載のパーソナルケア製品。
【請求項４】
前記第１のドッキング磁石（１１８）及び前記第２のドッキング磁石（１３２）を接続するヨーク（１２４）を更に備える、請求項２〜３のいずれか一項に記載のパーソナルケア製品。
【請求項５】
前記第１のドッキング磁石（１１８）が、円筒形である、請求項１〜４のいずれか一項に記載のパーソナルケア製品。
【請求項６】
前記端部分（１１０）が、パーソナルケア製品スタンド接触領域（１３８）を備える、請求項の１〜５いずれか一項に記載のパーソナルケア製品。
【請求項７】
前記パーソナルケア製品スタンド接触領域（１３８）が、前記ハンドル（１０２）の全長（１０８）の下部６％以内に完全に位置付けられる、請求項６に記載のパーソナルケア製品。
【請求項８】
前記パーソナルケア製品スタンド接触領域（１３８）が、前記ハンドル（１０２）の全長（１０８）の下部２％以内に完全に位置付けられる、請求項７に記載のパーソナルケア製品。
【請求項９】
前記パーソナルケア製品スタンド接触領域（１３８）が、内面（１２６）を有し、前記第１のドッキング磁石（１１８）が、前記内面（１２６）と接触する、請求項６に記載のパーソナルケア製品。
【請求項１０】
前記ハンドル（１０２）が、前記ハンドルのパーソナルケア製品スタンド接触領域（１３８）の最下点から３０ｍｍ〜８０ｍｍ離れた質量中心（１０６）を有する、請求項６〜９のいずれか一項に記載のパーソナルケア製品。
【請求項１１】
前記ハンドル（１０２）の前記端部分（１１０）が、位置合わせ部材（１１６）を更に備える、請求項１〜１０のいずれか一項に記載のパーソナルケア製品。
【請求項１２】
前記位置合わせ部材（１１６）が、溝を備える、請求項１１に記載のパーソナルケア製品。
【請求項１３】
前記位置合わせ部材（１１６）が、突出部を備える、請求項１１に記載のパーソナルケア製品。
【請求項１４】
前記位置合わせ部材（１１６）が、前記パーソナルケア製品スタンド接触領域（１３８）内に位置付けられる、請求項１１〜１３のいずれか一項に記載のパーソナルケア製品。
【請求項１５】
前記位置合わせ部材（１１６）が、前記パーソナルケア製品スタンド（１５０）上の対応する位置合わせ部材（１８４）に係合するように構成されている、請求項１１〜１４のいずれか一項に記載のパーソナルケア製品。
【発明の詳細な説明】
【技術分野】
【０００１】
本開示は、パーソナルケア製品のためのドッキングシステムを提供する。
【背景技術】
【０００２】
パーソナルケア製品としては、他のタイプのグルーミング及び衛生関連用具の中でも、乾式シェービングカミソリ及び湿式シェービングカミソリが挙げられる。乾式シェービングカミソリの一例は、水、石鹸、又はシェービングクリームなしで使用することができる電気カミソリである。湿式シェービングカミソリは、典型的に、水及び石鹸又はシェービングクリームと共に使用される。湿式シェービングカミソリは、１枚以上の刃がハウジング内に装着されている交換可能カートリッジを含むことができる。カートリッジ内のブレードが使用のために鈍くなった後で、カートリッジは廃棄されて、ハンドル上に新しいカートリッジが置き換えられる。
【０００３】
パーソナルケア製品は、多くの場合、使用の合間にはシンクの上、医療用キャビネット内、又は棚の上に保管される。多くのパーソナルケア製品は、比較的低い価格点を有する日用消費者製品と考えられる。１つには種々のパーソナルケア製品の低価格点のため、消費者は、審美性、スタイル、機能、及び使いやすさに関して期待を低下させる場合がある。再充電可能なパーソナルケア製品は、はるかに高い価格点を有し得るが、多くの場合、再充電可能な電源及び関連する電子部品のための追加的なコストのため、製造するのに費用がかかる。故に、再充電可能なパーソナルケア製品は、極めて良好に機能しなければならないだけでなく、より高い購入価格を正当化するように審美的に満足なものなければならない。
【発明の概要】
【発明が解決しようとする課題】
【０００４】
したがって、これらの問題のうちの１つ以上に対処するパーソナルケア製品を提供することが有利であろう。実際に、審美的に満足な様態でのパーソナルケア製品の保管を提供するパーソナルケア製品を提供し、それによって、使用の合間にパーソナルケア製品を充電している間ユーザがパーソナルケア製品を見えたままにしておくことを可能にすることが有利であろう。また、特にパーソナルケア製品が充電中に電源に接続されているときに、他の特性の中でも、その有用性、機能性、見た目を考慮して、高級な製品であると認められるパーソナルケア製品を提供することも有利であろう。
【課題を解決するための手段】
【０００５】
本開示は、１つの実施形態において、静置面を有するパーソナルケア製品スタンドと、細長い把持部分を有するハンドルと、を備える、パーソナルケア製品システムを提供することによって、上で説明した必要性を満たす。ハンドルは、パーソナルケア製品スタンドに対してある角度に懸架され、また、９０度未満の夾角でパーソナルケア製品スタンドの静置面と交差するハンドル静置面を有する。ハンドルは、パーソナルケア製品スタンドと係合されず、かつハンドルの全長の９０％〜１００％である、無支持長さを有する。
【０００６】
別の実施形態において、パーソナルケア製品スタンドは、静置面を有する基部と、中心軸と、ハンドルを保持するように構成されるハンドル受容部分を画定する上面と、を備える。基部は、空洞を画定し、空洞内には、基部の中心軸から少なくとも１０ｍｍ以内に少なくとも１つの永久ドッキング磁石が位置付けられる。
【０００７】
更に別の実施形態において、パーソナルケア製品は、細長い把持部分を有するハンドルを備える。ハンドルは、ハンドル静置面と、端部分と、を有する。第１のドッキング磁石は、端部分内に位置付けられる。第１のドッキング磁石は、１５度〜３５度の夾角でハンドル静置面と交差する極性軸を有する。
【図面の簡単な説明】
【０００８】
本開示の上述の特徴及び利点並びに他の特徴及び利点、またそれらを実現する方法は、本開示の非限定的実施形態の以下の説明を、添付図面と併せて参照することによってより明白となり、本開示自体がより良好に理解されるであろう。
【図１】本開示の１つの非限定的実施形態による、例示的なパーソナルケア製品システムの側面図である。
【図２】ハンドルの等角図である。
【図３】第１の端部分の切り欠き図を伴う、図２に示されるハンドルの側面図である。
【図４】例示を明瞭にするために種々の構成要素を取り除いた、パーソナルケア製品スタンドとドッキングされるハンドルの第１の端部分の部分切り欠き図である。
【図５】第１の端部分内に位置付けられたドッキング磁石を示す、ハンドルの部分切り欠き図である。
【図６】例示を明瞭にするために種々の構成要素を取り除いた、ハンドルのドッキング磁石の等角図である。
【図７】１つの非限定的な例示的パーソナルケア製品スタンドの等角図である。
【図８】図７に示されるパーソナルケア製品スタンドの部分切り欠き図である。
【図９】パーソナルケア製品のハンドルがドッキングされた、図７に示されるパーソナルケア製品スタンドの断面図である。
【図１０】１つの非限定的実施形態による、パーソナルケア製品スタンドの空洞の中へ延在する、ハンドル受容部分の一部分の底面等角図である。
【０００９】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致がある場合、定義を含め本明細書が優先される。加えて、材料、方法、及び例は、単に例示的なものであり、限定を意図したものではない。
【００１０】
本発明の他の特徴及び利点は、以下の詳細な説明及び特許請求の範囲から明らかとなるであろう。
【発明を実施するための形態】
【００１１】
本開示は、ハンドルと、使用していないときにハンドルをドッキングするためのパーソナルケア製品スタンドと、を有する、パーソナルケア製品システムを提供する。以下、パーソナルケア製品システムの機能、設計、及び動作の原理についての総合的な理解を得るために、本開示の種々の非限定的実施形態について説明する。これらの非限定的実施形態のうちの１つ以上の例を添付図面に示す。当業者であれば、本明細書で説明され、かつ添付図面に示される方法が非限定的実施形態例であり、本開示の様々な非限定的実施形態の範囲は、特許請求の範囲によってのみ定義されることが理解されるであろう。ある非限定的実施形態に関連して示されるか又は述べられる特徴は、他の非限定的実施形態の特徴と組み合わせてもよい。そのような修正及び変形は、本開示の範囲内に含まれるものとする。
【００１２】
ここで図１を参照すると、本開示の１つの非限定的実施形態による、例示的なパーソナルケア製品システム１００の側面図が示されている。パーソナルケア製品システム１００は、パーソナルケア製品スタンド１５０とドッキングされるハンドル１０２を備える。ハンドル１０２は、電動構成要素を有する再充電可能な湿式カミソリとして示されているが、このような描写は、例示目的にすぎない。パーソナルケア製品スタンド１５０にドッキングさせることができる個人消費者製品の他の例としては、限定されないが、乾式カミソリ、脱毛器又は他の毛髪切断及び／又は脱毛家庭用装置、トリマー、パーソナルグルーマー、歯ブラシ、除毛装置などを挙げることができる。更に、ブレードを有するシェービングカミソリカートリッジ１２２が、ハンドル１０２の第２の端部分１１１の遠位端部に結合されているように表されているが、他の実施形態において、ハンドル１０２は、追加的又は代替的に、有孔シェービングフォイル、回転カッター、発振カッター、トリマー、などの、他のタイプのグルーミング装置を含むことができる。故に、表されるシェービングカミソリカートリッジ１２２が第２の端部分１１１に結合された状態のハンドル１０２は、例示目的にすぎず、また、本開示を、ハンドル１０２、パーソナルケア製品システム１００、又はシェービングカミソリカートリッジ１２２の任意の特定の構成に限定することを意図するものではない。ハンドル１０２は、流体ポンプ、モータ、センサ、振動若しくは発振構成要素、加熱要素などの、１つ以上の電動要素を含むことができる。本明細書で使用するとき、ハンドル１０２という用語は、シェービングカミソリカートリッジ１２２などの任意の取り付け可能な構成要素を含む、パーソナルケア製品スタンド１５０内に保管することができるパーソナルグルーミング装置を指す。任意の長さ、重心、質量中心の任意の測定値又は計算値などは、ハンドル１０２に取り付けられるシェービングカミソリカートリッジ又は他の関連するグルーミング用具によって決定される。更に、ハンドル１０２は、略円筒形の細長い把持部分１０４を有するように示されているが、本開示は、そのように限定されない。代わりに、細長い把持部分１０４は、任意の適切な形状、サイズ、又は構成とすることができ、また、パーソナルケア製品の使用中にユーザによって取り扱われるハンドル１０２の一部分である。
【００１３】
シェービングカミソリカートリッジ１２２（又は他のタイプの取り付け用具若しくは固定用具）は、全体的な所望のコスト及び性能に応じて、固定的又は枢動可能にハンドル１０２に装着することができる。シェービングカミソリカートリッジ１２２は、ハンドル１０２に、永続的に取り付けること、又は着脱可能に装着することができる。シェービングカミソリカートリッジ１２２は、１つ以上のブレード１２３（図２）、又は他の切断器具を含むことができる。ハンドル１０２は、加熱要素、モータ、振動素子、又は電気によって駆動される他のタイプの要素などの、内蔵電動要素のうちの１つ以上に電力を供給する電源１１９（図３）を保持することができる。電源は、使用していないときにハンドル１０２をパーソナルケア製品スタンド１５０にドッキングさせて再充電することができる、充電式バッテリとすることができる。
【００１４】
ハンドル１０２は、図１において、ドッキング位置に示されている。下でより詳細に説明されるように、ドッキング位置にある間、ハンドル１０２の第１の端部分１１０の少なくとも一部分を、パーソナルケア製品スタンド１５０の中に受容させることができる。パーソナルケア製品スタンド１５０は、基部１９４と、壁面コンセントなどの電源に差し込むことができる電源プラグ１９２と、を含むことができる。パーソナルケア製品スタンド１５０は、パーソナルケア製品スタンド１５０が電源に接続され、かつハンドル１０２がパーソナルケア製品スタンド１５０にドッキングされたときに、ハンドル１０２のハンドル充電システム１４６（図３）に電力を送達する、基部充電システム１４８（図４）を更に含むことができる。図１では電源プラグ１９２が従来の壁面プラグであるように示されているが、他の構成では、例えば、ＵＳＢ充電器などの、異なる電源プラグ構成を使用することができる。更に他の実施形態において、パーソナルケア製品スタンド１５０は、電力を貯蔵し、次いで、ハンドル１０２がスタンドとドッキングされたときにハンドルに充電するように構成される、再充電可能な電源を備える。
【００１５】
パーソナルケア製品スタンド１５０は、略パック形状の基部１９４を有するように示されているが、パーソナルケア製品スタンド１５０は、平坦な面に静置することができる任意の適切な形状とすることができる。図１に示されるスタンド静置面１５４は、棚、卓上、シンクなどの、パーソナルケア製品スタンド１５０を静置することができる平坦な面を表す。認識されるように、パーソナルケア製品スタンド１５０はまた、平坦面によって画定されたスタンド静置面１５４と接触する、足部又は他の突起も含むことができる。パーソナルケア製品スタンド１５０はまた、ハンドル設置面１７６も画定する。下でより詳細に説明されるように、ハンドル１０２がドッキング位置にあるときに、ハンドル設置面１７６の少なくとも一部分は、ハンドル１０２のパーソナルケア製品スタンド接触領域１３８と接触することができる。
【００１６】
パーソナルケア製品スタンド１５０の基部１９４はまた、重心と称されることもある幾何学的中心１８０、並びに質量中心１７８も画定する。基部１９４は、質量中心１７８を幾何学的中心１８０から離すことができるように構成することができ、また、質量中心１７８が幾何学的中心１８０から水平にオフセットされるようにハンドル設置面１７６に向かって位置付けることができる。ハンドル設置面１７６に向かって質量中心１７８を位置付けることは、ユーザがハンドル１０２をドッキングさせているとき、又はドッキング解除させているときのパーソナルケア製品スタンド１５０の安定性を高めることができる。幾何学的中心１８０と質量中心１７８との間の水平オフセットの量は、パーソナルケア製品スタンド１５０の構成に基づいて異なり得るが、いくつかの構成において、質量中心１７８は、幾何学的中心１８０からハンドル設置面１７６に向かって少なくとも約４ｍｍ水平にオフセットされる。いくつかの構成において、図１に示されるように、質量中心１７８は、ハンドル設置面１７６とスタンド静置面１５４との間に縦方向に位置付けられる。
【００１７】
図２は、ハンドル１０２の等角図を表し、図３は、第１の端部分１１０の切り欠き図を有するハンドル１０２の側面図である。ここで図１〜図３を参照すると、ハンドル１０２は、第１の端部分１１０の最近位点（点１１３として示される）から、シェービングカミソリカートリッジ１２２（又は、ハンドル１０２に動作的に結合された他のグルーミング用具）の最遠位点（点１１５として示される）まで測定したときの、全長１０８（図３）を有する。いくつかの構成において、ハンドル１０２の全長１０８は、約１３０ｍｍ〜約１７０ｍｍである。いくつかの構成において、ハンドル１０２の全長１０８は、約１５０ｍｍ〜約１６０ｍｍである。ハンドル１０２はまた、質量中心１０６も画定する。ハンドル１０２の質量中心１０６は、図３において間隔１２０として示されるように、第１の端部分１１０の最近位点から約３０ｍｍ〜約８０ｍｍ離される。図３に示されるように、シェービングカミソリカートリッジ１２２のブレード１２３（図２）が平坦面（例えば、シンク、棚など）に面した状態で、ハンドル１０２を平坦面に静置したときに、平坦面は、ハンドル静置面１１２を画定する。
【００１８】
ハンドル１０２をドッキングさせたときの、パーソナルケア製品スタンド１５０のスタンド静置面１５４に対するハンドル静置面１１２の相対位置が、図１に示される。示されるように、パーソナルケア製品スタンド１５０は、スタンド静置面１５４に対して垂直であり、かつ幾何学的中心１８０を通って延在する中心軸１７０を有する。ドッキングさせた状態にあるときに、ハンドル１０２は、中心軸１７０に対して傾いている。このように、ハンドル１０２は、パーソナルケア製品スタンド１５０に対してある角度で懸架される。いくつかの構成において、第２の端部分１１１は、基部１９４の外周を越えて外方へ延在する。傾いた配設を提供するために、ハンドル静置面１１２は、９０度未満の夾角（図１の角度１８２として示される）で、パーソナルケア製品スタンド１５０のスタンド静置面１５４と交差する。いくつかの構成において、夾角１８２は、約６０度〜８０度である。しかしながら、ハンドル１０２が傾けられているので、ハンドル１０２の全長１０８の大部分が支持されておらず、それによって、ハンドル１０２が重力に逆らうように浮上又は浮揚された外観を作り出す。ハンドル１０２の第１の端部分１１０のパーソナルケア製品スタンド接触領域１３８だけが、パーソナルケア製品スタンド１５０に接触し、ハンドル１０２の残りの表面１２８は、基部１９４又は他のタイプの物理的支持体に接触することなく懸架される。
【００１９】
図１を参照すると、無支持長さ１１４は、パーソナルケア製品スタンド１５０から上方へ延在するハンドル１０２の一部分であり、その全体は、それ自体で立っており、構造要素に係合されておらず、又は別様に接触もしていない。無支持長さ１１４は、ハンドル１０２の全長１０８（図３）の約９０％〜１００％、より好ましくは９２％〜９６％とすることができる。更に、ハンドル１０２のパーソナルケア製品スタンド接触領域１３８は、ハンドル１０２の全長１０８の下部１０％以内に完全に位置付けることができる。いくつかの構成において、ハンドル１０２のパーソナルケア製品スタンド接触領域１３８は、ハンドル１０２の全長１０８の下部１０％以内に、又はより好ましくは、ハンドル１０２の全長１０８の下部６％で完全に位置付けることができる。いくつかの構成において、ハンドル１０２のパーソナルケア製品スタンド接触領域１３８は、ハンドル１０２の全長１０８の下部２％以内に完全に位置付けることができる。１つの実施形態において、ハンドル１０２の全長１０８は、約１５８ｍｍであり、無支持長さ１１４は、約１５０ｍｍである。ハンドル１０２は、見かけ上、スタンドからの最小量の構造的支持によって重力に逆っているので、ハンドル１０２とパーソナルケア製品スタンド１５０との傾いた関係は、見た目に美しいドッキング構成をもたらすと考えられる。ドッキング関係はまた、ユーザがハンドル１０２をパーソナルケア製品スタンド１５０内に配置することを支援することができ、一方で、簡単な取り外しも提供する。このように、ユーザは、ドッキングさせるためにはハンドル１０２をパーソナルケア製品スタンド１５０上に置くことだけしか必要としないので、ドッキング過程が容易になる。同様に、ハンドル１０２をドッキング解除して使用するために、ユーザは、パーソナルケア製品スタンド１５０からハンドル１０２を持ち上げることだけしか必要としない。
【００２０】
図４は、例示を明瞭にするために種々の構成要素を取り除いた、図１に示されるようにパーソナルケア製品スタンド１５０とドッキングされるハンドル１０２の第１の端部分１１０の部分切り欠き図である。ハンドル１０２及びパーソナルケア製品スタンド１５０の各々は、パーソナルケア製品スタンド１５０へのハンドル１０２のドッキングを容易にするドッキング磁石を含む（ハンドル１０２は、ドッキング磁石１１８、１３２を含むように示され、パーソナルケア製品スタンド１５０は、ドッキング磁石１５８、１６０を含むように示される）。ハンドル１０２のドッキング磁石１１８、１３２、及びパーソナルケア製品スタンド１５０のドッキング磁石１５８、１６０の相対位置及び場所は、ハンドル１０２のパーソナルケア製品スタンド１５０に対する見た目に魅力的な傾きを容易にし、一方で、ハンドル１０２は、実質的に無支持である。ドッキング磁石の数及び形状は様々であり得るが、例示される構成において、ハンドル１０２は、第２のドッキング磁石１３２の近傍に位置付けられる第１のドッキング磁石１１８を有し、磁石はどちらも、実質的に円筒形である。同様に、パーソナルケア製品スタンド１５０は、第２のドッキング磁石１６０の近傍に位置付けられた第１のドッキング磁石１５８を有し、磁石はどちらも、実質的に円筒形であり、また、パーソナルケア製品スタンド１５０によって画定された空洞１５２内に設置される。
【００２１】
ハンドル１０２によって提供される機能によって、ハンドル１０２はまた、ハンドル１０２がパーソナルケア製品スタンド１５０にドッキングされたときに基部充電システム１４８から電力を受信するように構成されたハンドル充電システム１４６も備えることができる。ハンドル充電システム１４６は、基部充電システム１４８から受信した電力を使用して、ハンドル１０２の電源１１９を再充電することができる。例示される構成において、ハンドル充電システム１４６及び基部充電システム１４８の各々は、誘導充電を促進する、少なくとも１つのコイルを備える。図４に示されるように、ハンドル充電システム１４６は、第１のドッキング磁石１１８及び第２のドッキング磁石１３２に近接して位置付けられる。同様に、基部充電システム１４８は、第１のドッキング磁石１５８及び第２のドッキング磁石１６０に近接して位置付けられる。
【００２２】
ハンドル１０２がドッキングされているときに、パーソナルケア製品スタンド接触領域１３８は、ハンドル設置面１７６と接触して配置され、よって、ハンドル１０２のドッキング磁石１１８、１３２は、パーソナルケア製品スタンド１５０のドッキング磁石１５８、１６０に近接して位置付けられる。この位置になると、ドッキング磁石間の磁力は、ハンドル１０２に作用する重力に打ち勝つように、パーソナルケア製品スタンド１５０に対するハンドル１０２の傾いた姿勢を維持する。ハンドル１０２は、ユーザがパーソナルケア製品スタンド１５０からハンドル１０２を持ち上げるまで、この姿勢を維持することができる。
【００２３】
パーソナルケア製品スタンド１５０はまた、追加的な重力を生成するバラスト質量１６２（図９）も有する。いくつかの構成において、バラスト質量１６２は、総スタンド質量の半分を超えるが、本開示は、そのように限定されない。上に記載したように、バラスト質量１６２の形状及び配置は、質量中心１７８をパーソナルケア製品スタンド１５０内に適切に位置付けるように構成することができる。総スタンド質量の重力は、ハンドル１０２のドッキング磁石１１８、１３２とパーソナルケア製品スタンド１５０のドッキング磁石１５８、１６０との間の磁気吸引よりも大きくなり得る。このように、ユーザがハンドル１０２を持ち上げて、パーソナルケア製品スタンド１５０との磁気接続を切断するときに、パーソナルケア製品スタンド１５０のスタンド質量は、パーソナルケア製品スタンド１５０がハンドル１０２と共に持ち上がらないようにする。上で説明したようなパーソナルケア製品スタンド１５０の質量中心１７８の相対的な場所は、操作使用中の安定性を更に提供することができる。したがって、パーソナルケア製品スタンド１５０は、ハンドルをドッキング解除させるときに、スタンド静置面１５４上で安定した状態を継続する。本開示を考慮したときに認識されるように、スタンド質量を増加させることで、ハンドル１０２とパーソナルケア製品スタンド１５０との間のより高いドッキング力を可能にすることができる。いくつかの実施形態において、パーソナルケア製品スタンドのスタンド質量は、約１５０グラム〜３００グラムである。いくつかの実施形態において、パーソナルケア製品スタンドのスタンド質量は、約２５０グラムであり、それによって、最大で約２ニュートンの、ハンドル１０２とパーソナルケア製品スタンド１５０との間のドッキング力を可能にする。
【００２４】
図５は、第１の端部分１１０内に位置付けられたドッキング磁石１１８、１３２を示す、ハンドル１０２の等角部分切り欠き図である。例示される構成において、ドッキング磁石１１８、１３２は、パーソナルケア製品接触領域１３８（図２）の内面１２６に接触している。図６は、例示を明瞭にするために種々の構成要素を取り除いた、ハンドル１０２のドッキング磁石１１８、１３２の等角図である。第１のドッキング磁石１１８の極性は、第２のドッキング磁石１３２の極性と反対にすることができる。加えて、ヨーク１２４（図６）は、第１のドッキング磁石１１８を第２のドッキング磁石１３２に接続することができる。いくつかの構成において、ヨーク１２４は、磁束ガイド部材とすることができ、また、強磁性材料を含むことができる。磁束ガイド部材として機能するときに、ヨーク１２４は、ハンドル充電システム１４６非接触充電能力へのドッキング磁石１１８、１３２の磁界の影響が低減されるように、これらの磁界を方向付けることができる。類似するヨークを、パーソナルケア製品スタンド１５０のドッキング磁石１５８、１６０と共に使用して、それらの磁石の磁界を誘導することができる。
【００２５】
図５〜図６を参照すると、第１のドッキング磁石１１８は、磁石の２つの極を通過する極性軸１３０を画定する。同様に、第２のドッキング磁石１３２は、磁石の２つの極を通過する極性軸１３４を画定する。第１のドッキング磁石１１８の極性は、第２のドッキング磁石１３２の極性と反対にすることができる。第１のドッキング磁石１１８の極性軸１３０は、図３に示される。極性軸１３０は、夾角（夾角１３６として示される）でハンドル静置面１１２と交差することができ、この夾角は、パーソナルケア製品スタンド１５０に対するハンドル１０２の角度位置を容易にするために、約１５度〜約３５度とすることができる。
【００２６】
図７は、パーソナルケア製品スタンド１５０の等角図を表し、図８は、例示を明瞭にするために種々の構成要素を取り除いた、内部空洞１５２を示す、図７の部分切り欠き図を表す。図９は、パーソナルケア製品のハンドル１０２がドッキングされた、図７に示されるパーソナルケア製品スタンドの断面図である。パーソナルケア製品スタンド１５０は、ハンドル受容部分１９０を有する上面１７４（図７）を有する。上面１７４は、平面とする、丸みを付ける、傾ける、角度を付ける、多面とする、又は任意の他の適切な構成を有することができる。いくつかの構成において、ハンドル受容部分１９０はまた、底面１５６を含むハンドル設置面１７６を有する凹部１８８も画定することができる。代替的に、ハンドル受容部分１９０は、略平坦とすること、又は別の適切な構成を有することができる。例示される実施例に示されるように、底面１５６は、パーソナルケア製品スタンド１５０のスタンド静置面１５４（図１）に対して非平行とすることができる。凹部１８８は、ハンドル１０２がドッキング位置にあるときにハンドル１０２の第１の端部分１１０を受容するようにサイズ決定及び構成される。最上点と最下点との間で縦方向に測定したときの（図１の深さ１４４として示される）、凹部１８８の深さは、約２ｍｍ〜約１０ｍｍの範囲とすることができる。いくつかの構成において、凹部１８８の深さは、約５．５ｍｍである。パーソナルケア製品接触領域１３８（図２）は、ハンドル１０２のドッキング磁石１１８、１３２が、底面１５６の下に位置付けられたパーソナルケア製品スタンド１５０のドッキング磁石１５８、１６０と磁気的に係合するように、凹部１８８内で受容することができる。いくつかの構成において、ドッキング磁石１５８、１６０は、ハンドル１０２の関連するドッキング磁石間の距離を最小にして、磁気吸引力を増加させるように、底面１５６の裏側と接触する。ドッキング磁石１５８、１６０は、図８に示されるように、それぞれ、磁石の極を通って延在するそれぞれの極性軸１４０、１４２を有することができる。ドッキング磁石１５８の極性は、ドッキング磁石１６０の極性と反対にすることができ、また、ハンドル１０２の相補的ドッキング磁石１３２及び１１８と磁気的に係合するように構成することができる。いくつかの構成において、ハンドル１０２がパーソナルケア製品スタンド１５０にドッキングされたときに、極性軸１４０、１４２は、ハンドル１０２の極性軸１３０、１３４と略平行で、かつ同一平面上になり得る。他の構成において、ハンドル１０２がパーソナルケア製品スタンド１５０にドッキングされたときに、極性軸１４０、１４２は、ハンドル１０２の極性軸１３０、１３４と略非平行及び／又は非同一平面上になり得る。示されるように、ドッキング磁石１５８、１６０は、パーソナルケア製品スタンド１５０内で、その中心からオフセットして位置付けることができる。図８に示されるように、ドッキング磁石１５８、１６０は、スタンド静置面１５４と平行に横方向に測定したときに、空洞１５２内で、中心軸１７０から少なくとも８ｍｍに位置付けることができる。いくつかの構成において、ドッキング磁石１５８、１６０は、空洞１５２内で、中心軸１７０から約１０ｍｍ超に位置付けることができる。いくつかの構成において、ドッキング磁石１５８、１６０は、空洞１５２内で、中心軸１７０から約１３ｍｍ超に位置付けることができる。
【００２７】
図７を再度参照すると、いくつかの構成によれば、ハンドル受容部分１９０は、位置合わせ部材１８４を備えることができる。位置合わせ部材１８４は、センタリング特徴として機能させること、ドッキング過程を容易にすること、並びにハンドル１０２とパーソナルケア製品スタンド１５０との間の正しい位置合わせが達成された旨の消費者フィードバックを提供すること、などのために、ユーザがハンドル１０２を凹部１８８内にドッキングさせることを補助することができる。適切な位置合わせは、ハンドル１０２のドッキング磁石１１８、１３２とパーソナルケア製品スタンド１５０のドッキング磁石１５８、１６０との間の十分な磁気結合を確実にすることを補助することができる。適切な位置合わせは、基部充電システム１４８とハンドル充電システム１４６との間の十分な誘導結合を補助することができる。いくつかの事例において、位置合わせ部材１８４は、ハンドル１０２のいかなる機械的支持も提供しないが、代わりに、単に、ドッキング中のパーソナルケア製品スタンド１５０に対するハンドル１０２の適切な配置を確実にする。例示される実施形態において、位置合わせ部材１８４は、底面１５６の外周の一部分に沿って位置付けられたリッジとして示される。図３を参照すると、ハンドル１０２の第１の端部分１１０は、ハンドル１０２がドッキングされるときにパーソナルケア製品スタンド１５０の位置合わせ部材１８４と係合する、対応する位置合わせ部材１１６を有することができる。例示される実施形態において、位置合わせ部材１１６は、パーソナルケア製品スタンド１５０の凹部１８８内に位置付けられたリッジを受容するようにサイズ決定された溝である。ユーザがハンドル１０２を凹部１８８の中へ方向付けるときに、ハンドル１０２の位置合わせ部材１１６及びパーソナルケア製品スタンド１５０の位置合わせ部材１８４の係合は、ユーザがハンドル１０２を適切な向きで、かつ適切な角度位置合わせでドッキングすることを確実にする。位置合わせ部材１１６、１８４は、円弧状リッジ及び溝として例示されているが、本開示は、そのように限定されない。代わりに、位置合わせ部材は、別のタイプの突出部及び対応する凹部などの任意の適切な構成とすることができる。図８及び図９に示されるように、パーソナルケア製品スタンド１５０は、バラスト質量１６２を含み、バラスト重量は、質量中心１７８（図１）を所望の位置に位置付けてドッキング及びドッキング解除中の安定性を維持するための、十分な質量を提供するようにサイズ決定することができる。したがって、バラスト質量１６２は、安定性を増加させるために、質量中心１７８（図１）がハンドル受容部分１９０（図７）に向かって引き寄せられるように位置付けられる。バラスト質量１６２はまた、パーソナルケア製品スタンド１５０の基部１９４に作用する重力がハンドル１０２のドッキング磁石１１８、１３４とパーソナルケア製品スタンド１５０のドッキング磁石１５８、１６０との間の磁気吸引よりも大きくなるようにサイズ決定することもできる。
【００２８】
図１０は、１つの非限定的実施形態による、パーソナルケア製品スタンド１５０の空洞１５２の中へ延在するハンドル受容部分１９０の一部分の底面等角図である。ハンドル受容部分１９０は、空洞１５２（図８）の封止を補助するために、ガスケット１８６を含むことができる。例示される実施形態において、ハンドル受容部分１９０は、第１のポケット１９６及び第２のポケット１９８を画定する。示されるように、第１のドッキング磁石１５８は、第１のポケット１９６内で受容することができ、第２のドッキング磁石１６０は、第２のポケット１９８内で受容することができ、よって、磁石は、それぞれ、底面１５６（図７）の裏面に接触する。いくつかの構成において、ドッキング磁石１５８、１６０は、それらのそれぞれのポケット１９６、１９８の中へ挿入され、ホットスタンピング又は他の組み立て技術によって固定される。更に、いくつかの構成において、底面１５６に面するドッキング磁石の端部は、傾いている場合がある。
【００２９】
本開示の更なる非限定的な説明
以下のパラグラフは、後に所望される場合に特許請求の範囲に添付するのに適した形態で、本開示の更なる非限定的説明を構成する。
【００３０】
Ａ．パーソナルケア製品システム（１００）であって、
静置面（１５４）を有するパーソナルケア製品スタンド（１５０）と、
細長い把持部分（１０４）を有するハンドル（１０２）であって、基部に対してある角度で懸架され、かつ９０度未満の夾角（１８２）でパーソナルケア製品スタンドの静置面（１５４）と交差するハンドル静置面（１１２）を有するハンドル（１０２）と、を備え、ハンドルが、パーソナルケア製品スタンドと係合されない、かつハンドルの全長（１０８）の約９０％〜１００％である、無支持長さ（１１４）を有する、パーソナルケア製品システム。
Ｂ．ハンドル（１０２）が、ハンドルのパーソナルケア製品スタンド接触領域（１３８）の最下点から約３０ｍｍ〜約８０ｍｍ離れた質量中心（１０６）を有する、パラグラフＡに記載のパーソナルケア製品システム。
Ｃ．ハンドル（１０２）が、パーソナルケア製品スタンド（１５０）に機械的に固定されない、パラグラフＡ及びＢのいずれか１つに記載のパーソナルケア製品システム。
Ｄ．ハンドル静置面（１１２）が、約６０〜約８５度の夾角（１８２）で、パーソナルケア製品（１５０）スタンドの静置面（１５４）と交差する、パラグラフＡ〜Ｃのいずれか１つに記載のパーソナルケア製品システム。
Ｅ．パーソナルケア製品スタンド接触領域（１３８）が、ハンドル（１０２）の第１の端部分（１１０）にある、パラグラフＢ〜Ｄのいずれか１つに記載のパーソナルケア製品システム。
Ｆ．パーソナルケア製品スタンド（１５０）が、ハンドル（１０２）上のパーソナルケア製品スタンド接触領域（１３８）に係合するパーソナルケア製品スタンド（１５０）のハンドル設置面（１７６）から離れた幾何学的中心（１８０）を有する、パラグラフＢ〜Ｅのいずれか１つに記載のパーソナルケア製品システム。
Ｇ．ハンドル（１０２）が、約１５度〜約３５度の夾角（１３６）で静置面（１１２）と交差する極性軸（１３０）を有する少なくとも第１のドッキング磁石（１１８）を備える、パラグラフＡ〜Ｆのいずれか１つに記載のパーソナルケア製品システム。
Ｈ．ハンドル（１０２）が、第１のドッキング磁石（１１８）の極性と反対の極性を有する第２のドッキング磁石（１３２）を備える、パラグラフＧに記載のパーソナルケア製品システム。
Ｉ．第１のドッキング磁石（１１８）及び第２のドッキング磁石（１３２）を接続するヨーク（１２４）を更に備える、パラグラフＨに記載のパーソナルケア製品システム。
Ｊ．パーソナルケア製品スタンド（１５０）が、パーソナルケア製品スタンド（１５０）とハンドル（１０２）との間の磁気吸引力よりも大きい重力を形成するために、スタンド質量（１６２）を有する、パラグラフＡ〜Ｉのいずれか１つに記載のパーソナルケア製品システム。
Ｋ．パーソナルケア製品スタンド（１５０）が、パーソナルケア製品スタンド（１５０）の幾何学的中心（１８０）から離れており、かつパーソナルケア製品スタンド（１５０）上のハンドル設置面（１７６）に向かう質量中心（１７８）を有する、パラグラフＡ〜Ｊのいずれか１つに記載のパーソナルケア製品システム。
Ｌ．パーソナルケア製品スタンド（１５０）上のハンドル設置面（１７６）が、ハンドル（１０２）上の対応する位置合わせ部材（１１６）に係合する位置合わせ部材（１８４）を有する、パラグラフＦ〜Ｋのいずれか１つに記載のパーソナルケア製品システム。
Ｍ．位置合わせ部材（１８４、１１６）のうちの少なくとも１つが、円弧状の溝又は突出部を備える、パラグラフＬに記載のパーソナルケア製品システム。
Ｎ．パーソナルケア製品スタンド（１５０）上のハンドル設置面（１７６）が、ハンドル（１０２）のパーソナルケア製品スタンド接触領域（１３８）を受容するように構成された凹部（１８８）を有する、パラグラフＦ〜Ｍのいずれか１つに記載のパーソナルケア製品システム。
Ｏ．パーソナルケア製品スタンド（１５０）上のハンドル設置面（１７６）が、ハンドル（１０２）上のパーソナルケア製品スタンド接触領域（１３８）の対応する位置合わせ部材（１１６）に係合する位置合わせ部材（１８４）を有し、パーソナルケア製品スタンド（１５０）の上ハンドル設置面（１７６）の位置合わせ部材（１８４）が、凹部（１８８）の底面（１５６）の外周に沿って位置付けられている、パラグラフＮに記載のパーソナルケア製品システム。
Ｐ．パーソナルケア製品スタンド（１５０）であって、
静置面（１５４）と、中心軸（１７０）と、ハンドル（１０２）を保持するように構成されたハンドル受容部分（１９０）を画定する上面（１７４）と、を有する、基部（１９４）であって、空洞（１５２）を画定する、基部（１９４）と、
空洞内で、基部（１９４）の中心軸（１７０）から少なくとも１０ｍｍに位置付けられた、少なくとも１つの永久ドッキング磁石（１５８）と、を備える、パーソナルケア製品スタンド。
Ｑ．ハンドル受容部分（１９０）が、ハンドルを受容するように構成された凹部（１８８）を画定する、パラグラフＰに記載のパーソナルケア製品スタンド。
Ｒ．ハンドル受容部分（１９０）が、ハンドル（１０２）上の対応する位置合わせ部材（１１６）に係合するように構成された位置合わせ部材（１８４）を備える、パラグラフＰ〜Ｑのいずれか１つに記載のパーソナルケア製品スタンド。
Ｓ．位置合わせ部材（１８４）が、ハンドル受容部分（１９０）の表面（１７６）に位置付けられている、パラグラフＲに記載のパーソナルケア製品スタンド。
Ｔ．ハンドル受容部分（１９０）の位置合わせ部材（１８４）が、底面（１５６）の外周に沿って位置付けられている、パラグラフＳに記載のパーソナルケア製品スタンド。
Ｕ．ハンドル受容部分（１９０）の位置合わせ部材（１８４）が、円弧形である、パラグラフＳに記載のパーソナルケア製品スタンド。
Ｖ．ハンドル受容部分（１９０）の位置合わせ部材（１８４）が、突出部である、パラグラフＳに記載のパーソナルケア製品スタンド。
Ｗ．ハンドル受容部分（１９０）の位置合わせ部材（１８４）が、凹部である、パラグラフＳに記載のパーソナルケア製品スタンド。
Ｘ．空洞（１５２）内に位置付けられた少なくとも１つの永久ドッキング磁石（１５８）が、空洞（１５２）内に位置付けられた一対の永久ドッキング磁石（１５８、１６０）を備える、パラグラフＰ〜Ｗのいずれか１つに記載のパーソナルケア製品スタンド。
Ｙ．空洞（１５２）内に位置付けられた一対の永久ドッキング磁石（１５８、１６０）が、反対の極性を有する、パラグラフＸに記載のパーソナルケア製品スタンド。
Ｚ．基部（１９４）内に位置付けられたバラスト質量（１６２）を更に備える、パラグラフＰ〜Ｙのいずれか１つに記載のパーソナルケア製品スタンド。
ＡＡ．少なくとも１つの永久ドッキング磁石（１５８）が、ハンドル受容部分（１９０）の直下の、スタンドの内面（１７２）に対する位置に維持される、パラグラフＰ〜Ｚのいずれか１つに記載のパーソナルケア製品スタンド。
ＢＢ．少なくとも１つの永久ドッキング磁石（１５８）が、ハンドル受容部分（１９０）の直下の、内面（１７２）に直接接触する傾斜端面を有する、パラグラフＰ〜ＡＡのいずれか１つに記載のパーソナルケア製品スタンド。
ＣＣ．ハンドル受容部分（１９０）が、基部（１９４）の静置面（１５４）と平行でない、パラグラフＰ〜ＢＢのいずれか１つに記載のパーソナルケア製品スタンド。
ＤＤ．パーソナルケア製品であって、
細長い把持部分（１０４）を有するハンドル（１０２）であって、ハンドル静置面（１１２）を有するハンドル（１０２）を備え、ハンドルが、端部分（１１０）と、端部分（１１０）内に位置付けられた第１のドッキング磁石（１１８）と、を有し、第１のドッキング磁石（１１８）が、約１５度〜約３５度の夾角（１３６）でハンドル静置面（１１２）と交差する極性軸（１３０）を有する、パーソナルケア製品。
ＥＥ．ハンドル（１０２）が、端部分（１１０）内に位置付けられた第２のドッキング磁石（１３２）を備える、パラグラフＤＤに記載のパーソナルケア製品。
ＦＦ．第１のドッキング磁石（１１８）が、第２のドッキング磁石（１３２）の極性と反対の極性を有する、パラグラフＥＥに記載のパーソナルケア製品。
ＧＧ．第１のドッキング磁石（１１８）及び第２のドッキング磁石（１３２）を接続するヨーク（１２４）を更に備える、パラグラフＥＥ〜ＦＦのいずれか１つに記載のパーソナルケア製品。
ＨＨ．第１のドッキング磁石（１１８）が、円筒形である、パラグラフＤＤ〜ＧＧのいずれか１つに記載のパーソナルケア製品。
ＩＩ．端部分（１１０）が、パーソナルケア製品スタンド接触領域（１３８）を備える、パラグラフＤＤ〜ＨＨのいずれか１つに記載のパーソナルケア製品。
ＪＪ．パーソナルケア製品スタンド接触領域（１３８）が、ハンドル（１０２）の全長（１０８）の下部６％以内に完全に位置付けられる、パラグラフＩＩに記載のパーソナルケア製品。
ＫＫ．パーソナルケア製品スタンド接触領域（１３８）が、ハンドル（１０２）の全長（１０８）の下部２％以内に完全に位置付けられる、パラグラフＪＪに記載のパーソナルケア製品。
ＬＬ．パーソナルケア製品スタンド接触領域（１３８）が、内面（１２６）を有し、第１のドッキング磁石（１１８）が、内面（１２６）と接触する、パラグラフＩＩに記載のパーソナルケア製品。
ＭＭ．ハンドル（１０２）が、ハンドルのパーソナルケア製品スタンド接触領域（１３８）の最下点から約３０ｍｍ〜約８０ｍｍ離れた質量中心（１０６）を有する、パラグラフＩＩ〜ＬＬのいずれか１つに記載のパーソナルケア製品。
ＮＮ．ハンドル（１０２）の端部分（１１０）が、位置合わせ部材（１１６）を更に備える、パラグラフＤＤ〜ＭＭのいずれか１つに記載のパーソナルケア製品。
ＯＯ．位置合わせ部材（１１６）が、溝を備える、パラグラフＮＮに記載のパーソナルケア製品。
ＰＰ．位置合わせ部材（１１６）が、突出部を備える、パラグラフＮＮに記載のパーソナルケア製品。
ＱＱ．位置合わせ部材（１１６）が、パーソナルケア製品スタンド接触領域（１３８）内に位置付けられる、パラグラフＮＮ〜ＰＰのいずれか１つに記載のパーソナルケア製品。
ＲＲ．位置合わせ部材（１１６）が、パーソナルケア製品スタンド（１５０）上の対応する位置合わせ部材（１８４）に係合するように構成される、パラグラフＯＯ〜ＱＱのいずれか１つに記載のパーソナルケア製品。
【００３１】
本明細書に開示されている寸法及び／又は値は、列挙した正確な数値寸法及び／又は値に厳しく制限されるものとして理解すべきではない。むしろ、別段の指定のない限り、このような各寸法及び／又は値は、列挙した寸法及び／若しくは値、並びに／又はその寸法及び／若しくは値の近辺の機能的に同等の範囲の両方を意味することを意図している。例えば、「４０ｍｍ」として開示される寸法は、「約４０ｍｍ」を意味するものとする。
【図１】
0006871381.tif 000002
【図２】
0006871381.tif 000003
【図３】
0006871381.tif 000004
【図４】
0006871381.tif 000005
【図５】
0006871381.tif 000006
【図６】
0006871381.tif 000007
【図７】
0006871381.tif 000008
【図８】
0006871381.tif 000009
【図９】
0006871381.tif 000010
【図１０】
0006871381.tif 000011